(57)【要約】【課題】太陽電池モジュール相互間で太陽電池セルを相互に並列に接続することが可能な太陽電池モジュール、およびそのような太陽電池モジュールを連結（並列接続）した太陽電池モジュールアレイを提供する。【解決手段】太陽電池モジュール１は、複数の太陽電池セルＰＶ１が接続点ＣＰ１を介して互いに直列接続されたセル群１１と、接続点ＣＰ１に接続された端子部ＴＰ１と、端子部ＴＰ１が配置されてセル群１１の外側に形成された少なくとも一対のタブ部ＴＢ（タブ部ＴＢ１およびタブ部ＴＢ２）とを備え、タブ部ＴＢは、互いに線対称に配置されてあり、端子部ＴＰ１は、タブ部ＴＢのそれぞれで点対称に配置されている。【選択図】図１Ａ
2013084671.tif 000002
【特許請求の範囲】
【請求項１】
複数の太陽電池セルが接続点を介して互いに直列接続されたセル群と、
前記接続点に接続された端子部と、
前記端子部が配置されて前記セル群の外側に形成された少なくとも一対のタブ部とを備え、
前記タブ部は、互いに線対称に配置されてあり、
前記端子部は、前記タブ部で点対称に配置されていること
を特徴とする太陽電池モジュール。
【請求項２】
請求項１に記載の太陽電池モジュールであって、
前記タブ部は、二対とされ、対同士は、互いに異なる位置に配置されていること
を特徴とする太陽電池モジュール。
【請求項３】
請求項１または請求項２に記載の太陽電池モジュールであって、
前記接続点は、複数あり、複数の前記接続点と同数とされた前記端子部のそれぞれは、前記タブ部において互いに接続された一対とされ、一対ごとに点対称の配置とされていること
を特徴とする太陽電池モジュール。
【請求項４】
請求項１から請求項３までのいずれか一つに記載の太陽電池モジュールであって、
前記セル群は、矩形の４つの角部が斜辺とされた疑似矩形の外周を有し、
前記タブ部は、前記角部に配置されていること
を特徴とする太陽電池モジュール。
【請求項５】
請求項１から請求項４までのいずれか一つに記載の太陽電池モジュールであって、
前記セル群は、単一の配線基板に実装され、前記タブ部は、前記配線基板が延長して形成されていること
を特徴とする太陽電池モジュール。
【請求項６】
請求項５に記載の太陽電池モジュールであって、
前記配線基板は、両面配線とされ、前記端子部は、前記タブ部において相互に接続された両面配線として形成されていること
を特徴とする太陽電池モジュール。
【請求項７】
請求項１から請求項６までのいずれか一つに記載の太陽電池モジュールであって、
前記太陽電池セルは、正方形の４つの角部が斜辺とされた擬似正方形であること
を特徴とする太陽電池モジュール。
【請求項８】
請求項１から請求項６までのいずれか一つに記載の太陽電池モジュールであって、
前記太陽電池セルは、正方形の４つの角部が斜辺とされた擬似正方形が分割されて形成されていること
を特徴とする太陽電池モジュール。
【請求項９】
請求項１から請求項８までのいずれか一つに記載の太陽電池モジュールを複数連結したことを特徴とする太陽電池モジュールアレイ。
【発明の詳細な説明】
【技術分野】
【０００１】
本発明は、互いに直列接続された太陽電池セルの間の接続点に接続された端子部を有する太陽電池モジュール、およびそのような太陽電池モジュールを並列接続した太陽電池モジュールアレイに関する。
【背景技術】
【０００２】
自然エネルギーの活用が求められる時代となり、例えば、太陽光を電気に変換する太陽電池セル、太陽電池セルを相互に連結した太陽電池モジュールが注目されている。このような太陽電池セル、太陽電池モジュールに対する期待の高まりに応じて種々の技術的提案がされている。例えば、太陽電池セルを配線基板に実装して太陽電池モジュールを形成する技術が提案されている（例えば、特許文献１参照。）。
【０００３】
また、太陽電池は、太陽光を電気に変換することから、太陽光の状態の影響を直接受ける。例えば、太陽光が遮光されることによって発生する日影が太陽電池セル（あるいは太陽電池モジュール）に落ちると光発電することができない。つまり、日影の発生状態によって実質的な発電効率が変動し、場合によっては大きく低下する場合がある。このような日影による影響を回避するための日影対策として例えば太陽電池モジュールの内部で太陽電池セルを相互に並列接続するものが提案されている（例えば、特許文献２参照。）。
【０００４】
特許文献２に記載された技術によれば太陽電池モジュールの内部の太陽電池セルを相互に並列接続することから、日影対策としての効果が期待されるが、太陽電池セルの並列接続が太陽電池モジュールの内部に限定されている。したがって、効果が得られる日影の範囲がモジュールの内部に限られて現実の日影の状況に一致しない場合がある。つまり、太陽電池モジュールを相互に並列接続して日影対策を施した太陽電池モジュールアレイとして大容量化を図ることが困難であるという課題を残している。
【先行技術文献】
【特許文献】
【０００５】
【特許文献１】特開２０１０−２４５３９８号公報
【特許文献２】特開２０１０−２８７７９５号公報
【発明の概要】
【発明が解決しようとする課題】
【０００６】
本発明はこのような状況に鑑みてなされたものであり、直列接続された太陽電池セルの接続点に接続された端子部を設けることによって、隣接して配置される太陽電池モジュール相互間で太陽電池セルを相互に並列に接続することが可能な太陽電池モジュールを提案することを目的とする。
【０００７】
また、本発明は、本発明に係る太陽電池モジュールを複数連結することによって、日影による発電効率の低下を防止できる太陽電池モジュールアレイを提供することを他の目的とする。
【課題を解決するための手段】
【０００８】
本発明に係る太陽電池モジュールは、複数の太陽電池セルが接続点を介して互いに直列接続されたセル群と、前記接続点に接続された端子部と、前記端子部が配置されて前記セル群の外側に形成された少なくとも一対のタブ部とを備え、前記タブ部は、互いに線対称に配置されてあり、前記端子部は、前記タブ部で点対称に配置されていることを特徴とする。
【０００９】
したがって、本発明に係る太陽電池モジュールは、セル群の外側に形成されて線対称に配置された少なくとも一対のタブ部に配置された端子部が、タブ部で点対称に配置されていることから、複数の太陽電池モジュールの太陽電池セルを並列接続するとき、隣接するタブ部の端子部同士を容易に接続できるので、並列接続のための特別な配線領域を設けずに太陽電池セルを並列に接続することができる。
【００１０】
また、本発明に係る太陽電池モジュールでは、前記タブ部は、二対とされ、対同士は、互いに異なる位置に配置されていることを特徴とする。
【００１１】
したがって、本発明に係る太陽電池モジュールは、タブ部の配置に応じて端子部が互いに異なる４方向（４箇所）に導出されることとなり、並べて配置するとき、並列接続される端子部が増えるので、並列接続の自由度、作業性、信頼性を向上させることができる。
【００１２】
また、本発明に係る太陽電池モジュールでは、前記接続点は、複数あり、複数の前記接続点と同数とされた前記端子部のそれぞれは、前記タブ部において互いに接続された一対とされ、一対ごとに点対称の配置とされていることを特徴とする。
【００１３】
したがって、本発明に係る太陽電池モジュールは、複数の接続点と同数とされた複数の端子部をタブ部において互いに接続された一対（１つの接続点に対応する端子部として２個）として点対称に配置しているので、１８０度回転させての並列接続が容易となることから、複数の接続点（複数の端子部）を備える場合でも、配置の自由度を向上させることができる。
【００１４】
また、本発明に係る太陽電池モジュールでは、前記セル群は、矩形の４つの角部が斜辺とされた疑似矩形の外周を有し、前記タブ部は、前記角部に配置されていることを特徴とする。
【００１５】
したがって、本発明に係る太陽電池モジュールは、擬似矩形が有する４つの角部にタブ部を配置することから、太陽電池モジュールを行列状に配置したとき、タブ部を角部で互いに対向させることができるので、並列接続のための領域を増やすことなく、太陽電池セルの充填率を向上させて配置面積当たりの発電効率を向上させることができる。
【００１６】
また、本発明に係る太陽電池モジュールでは、前記セル群は、単一の配線基板に実装され、前記タブ部は、前記配線基板が延長して形成されていることを特徴とする。
【００１７】
したがって、本発明に係る太陽電池モジュールは、セル群を配線基板に実装し、タブ部を配線基板から延長していることから、一体性を確保できるので、信頼性、作業性を向上させることができる。
【００１８】
また、本発明に係る太陽電池モジュールでは、前記配線基板は、両面配線とされ、前記端子部は、前記タブ部において相互に接続された両面配線として形成されていることを特徴とする。
【００１９】
したがって、本発明に係る太陽電池モジュールは、互いに隣接して配置されたタブ部の端子部同士を容易に接続できることから、並列接続の作業性を向上させて大容量化を容易に実行することができる。
【００２０】
また、本発明に係る太陽電池モジュールでは、前記太陽電池セルは、正方形の４つの角部が斜辺とされた擬似正方形であることを特徴とする。
【００２１】
したがって、本発明に係る太陽電池モジュールは、太陽電池セルが正方形の４つの角部を斜辺とされた擬似正方形（擬似八角形）で形成されることから、発電効率の高い結晶性の太陽電池セルを利用して面積充填率、生産性、発電効率を向上させることができる。
【００２２】
また、本発明に係る太陽電池モジュールでは、前記太陽電池セルは、正方形の４つの角部が斜辺とされた擬似正方形が分割されて形成されていることを特徴とする。
【００２３】
したがって、本発明に係る太陽電池モジュールは、直列に接続された複数の太陽電池セルを容易にかつ効率的に形成することが可能となり、生産性を向上させて高電圧化を図ることができる。
【００２４】
また、本発明に係る太陽電池モジュールアレイは、本発明に係る太陽電池モジュールを複数連結したことを特徴とする。
【００２５】
したがって、本発明に係る太陽電池モジュールアレイは、太陽電池モジュールが備える太陽電池セルを並列接続することによって日影による発電効率の低下を防止することができる。
【発明の効果】
【００２６】
本発明に係る太陽電池モジュールは、太陽電池セルが直列接続された接続点に接続された端子部と、端子部が配置された一対のタブ部とを備え、タブ部を互いに線対称に配置し、端子部をタブ部で点対称に配置する。
【００２７】
したがって、本発明に係る太陽電池モジュールは、複数の太陽電池モジュールの太陽電池セルを並列接続するとき、隣接するタブ部の端子部同士を容易に接続できるので、並列接続のための特別な配線領域を設けずに太陽電池セルを並列に接続することができるという効果を奏する。
【００２８】
また、本発明に係る太陽電池モジュールアレイは、本発明に係る太陽電池モジュールを複数連結したことを特徴とする。
【００２９】
したがって、本発明に係る太陽電池モジュールアレイは、日影による発電効率の低下を防止することができるという効果を奏する。
【図面の簡単な説明】
【００３０】
【図１Ａ】本発明の実施の形態１に係る太陽電池モジュールの平面形状を模式的に示す模式平面図である。
【図１Ｂ】図１Ａに示した太陽電池モジュールの接続構成を模式的に示す模式回路図である。
【図２Ａ】本発明の実施の形態２に係る太陽電池モジュールアレイの平面形状を模式的に示す模式平面図である。
【図２Ｂ】図２Ａに示した太陽電池モジュールアレイの接続構成を模式的に示す模式回路図である。
【図３Ａ】本発明の実施の形態３に係る太陽電池モジュールの平面形状を模式的に示す模式平面図である。
【図３Ｂ】図３Ａに示した太陽電池モジュールの接続構成を模式的に示す模式回路図である。
【図４Ａ】本発明の実施の形態４に係る太陽電池モジュールアレイの平面形状を模式的に示す模式平面図である。
【図４Ｂ】図４Ａに示した太陽電池モジュールアレイの接続構成を模式的に示す模式回路図である。
【図５Ａ】本発明の実施の形態５に係る太陽電池モジュールの平面形状を模式的に示す模式平面図である。
【図５Ｂ】図５Ａに示した太陽電池モジュールの接続構成を模式的に示す模式回路図である。
【図６Ａ】本発明の実施の形態６に係る太陽電池モジュールアレイの平面形状を模式的に示す模式平面図である。
【図６Ｂ】図６Ａに示した太陽電池モジュールアレイの接続構成を模式的に示す模式回路図である。
【図７Ａ】本発明の実施の形態７に係る太陽電池モジュールアレイの平面形状を模式的に示す模式平面図である。
【図７Ｂ】図７Ａに示した太陽電池モジュールアレイの接続構成を模式的に示す模式回路図である。
【図８Ａ】本発明の実施の形態８に係る太陽電池モジュールアレイの平面形状を模式的に示す模式平面図である。
【図８Ｂ】図８Ａに示した太陽電池モジュールアレイの接続構成を模式的に示す模式回路図である。
【図９Ａ】本発明の実施の形態９に係る太陽電池モジュールの平面形状を模式的に示す模式平面図である。
【図９Ｂ】図９Ａに示した太陽電池モジュールを並列接続して形成された太陽電池モジュールアレイの平面形状を模式的に示す模式平面図である。
【図９Ｃ】図９Ａに示した太陽電池モジュールのタブ部での端子部の配置の変形例を模式的に示す模式平面図である。
【図９Ｄ】図９Ａに示した太陽電池モジュールの端子部の形状を変形した太陽電池モジュールの平面形状を模式的に示す模式平面図である。
【図９Ｅ】図９Ｄに示した太陽電池モジュールの端子部を拡大して示す拡大平面図である。
【図１０Ａ】図９Ｂに示した太陽電池モジュールアレイ（太陽電池モジュール）に日影が落ちたときの平面状態を模式的に示す模式平面図である。
【図１０Ｂ】図１０Ａに示した太陽電池モジュールアレイへの日影による回路状態を模式的に示す模式回路図である。
【発明を実施するための形態】
【００３１】
以下、本発明の実施の形態について図面を参照して説明する。
【００３２】
＜実施の形態１＞
図１Ａおよび図１Ｂを参照して、本実施の形態に係る太陽電池モジュール１について説明する。
【００３３】
図１Ａは、本発明の実施の形態１に係る太陽電池モジュール１の平面形状を模式的に示す模式平面図である。
【００３４】
図１Ｂは、図１Ａに示した太陽電池モジュール１の接続構成を模式的に示す模式回路図である。
【００３５】
本実施の形態に係る太陽電池モジュール１は、複数（例えば２個）の太陽電池セルＰＶ１が接続点ＣＰ１（例えば１個）を介して互いに直列接続されたセル群１１と、接続点ＣＰ１に接続された端子部ＴＰ１と、端子部ＴＰ１が配置されてセル群１１の外側に形成された少なくとも一対のタブ部ＴＢ（タブ部ＴＢ１およびタブ部ＴＢ２。以下では、タブ部ＴＢ１、タブ部ＴＢ２を特に区別する必要が無い場合は、単にタブ部ＴＢとすることがある。）とを備え、タブ部ＴＢ（タブ部ＴＢ１およびタブ部ＴＢ２）は、互いに線対称に配置されてあり、端子部ＴＰ１は、タブ部ＴＢ（タブ部ＴＢ１、タブ部ＴＢ２のそれぞれ）で点対称に配置されている。
【００３６】
したがって、太陽電池モジュール１は、セル群１１の外側に形成されて線対称に配置された少なくとも一対のタブ部ＴＢ（セル群１１の外周が例えば疑似矩形であるとき、疑似矩形の短辺（Ｙ方向）の両端に配置された２つのタブ部ＴＢ１およびタブ部ＴＢ２、あるいは疑似矩形の長辺（Ｘ方向）の両端に配置された２つのタブ部ＴＢ（不図示））に配置された端子部ＴＰ１が、タブ部ＴＢ１（およびタブ部ＴＢ２）で点対称に配置（例えば、タブ部ＴＢ１の中央（対称点）に対して点対称に配置。タブ部ＴＢ２の中央に対して点対称に配置。）されていることから、複数の太陽電池モジュール１の太陽電池セルＰＶ１を並列接続するとき、隣接するタブ部ＴＢ（例えば、一の太陽電池モジュール１のタブ部ＴＢ１に対して他の太陽電池モジュール１のタブ部ＴＢ２。図２Ａ参照）の端子部ＴＰ１同士を容易に接続できるので、並列接続のための特別な配線領域を設けずに太陽電池セルＰＶ１を並列に接続することができる。
【００３７】
接続点ＣＰ１と端子部ＴＰ１との接続は、接続点ＣＰ１から延長されたリード配線ＷＬが端子部ＴＰ１に接続されて施される。リード配線ＷＬは、配線基板２０に適宜のパターニングを施すことによって形成される。配線基板２０は、可撓性フィルムで形成されていることが好ましい。可撓性を持たせることによって、太陽電池セルＰＶ１への影響を抑制することができ、また、接続点ＣＰ１相互間での接続が容易となる。
【００３８】
なお、疑似矩形とは、例えば矩形の４つの角が斜辺とされて例えば擬似八角形となっている状態である。また、一対のタブ部ＴＢが線対称に配置された状態とは、セル群１１の外周が例えば疑似矩形であるとき、疑似矩形の１辺（短辺、あるいは長辺）での両端が擬似矩形において線対称となっている状態を示す。例えば、タブ部ＴＢ１およびタブ部ＴＢ２は、短辺の両端に配置されていることから、太陽電池モジュール１（セル群１１の外周）において線対称の配置となっており、一対のタブ部ＴＢとなっている。
【００３９】
端子部ＴＰ１がタブ部ＴＢ１（あるいはタブ部ＴＢ２）で点対称に配置されるとは、タブ部ＴＢの中央を対称点として配置されていることである。本実施の形態では、各タブ部ＴＢに１個の端子部ＴＰ１だけが配置されているので、端子部ＴＰ１はタブ部ＴＢの中央に配置された状態となる。端子部ＴＰ１の形状自体は、相互の接続ができる形状であれば良い。なお、１つのタブ部ＴＢに複数の端子部が配置される場合については、実施の形態５（図５Ａ）で更に説明する。
【００４０】
太陽電池モジュール１は、並列接続が可能なモジュール部品となるので、複数の太陽電池モジュール１が有する太陽電池セルＰＶ１を並列に接続することが容易となり、歩留まり良く大容量化を図ることができる。また、セル群１１を含む太陽電池モジュール１の段階で良品のみを選別することが可能となり、太陽電池モジュール１を複数配置した大容量の太陽電池アレイ９ａ（図２Ａ参照）の形成を効率的に行うことが可能となる。
【００４１】
太陽電池モジュール１は、タブ部ＴＢ（タブ部ＴＢ１、タブ部ＴＢ２）が配置された１方向（本実施の形態では、Ｙ方向）で相互に平行に配置されて、太陽電池セルＰＶ１を並列に接続することができる（図２Ａ参照）。また、端子部ＴＰ１を点対称に配置していることから、１８０度回転させてタブ部ＴＢが配置されたＹ方向と交差する方向（Ｘ方向）に配置して端子部ＴＰ１を相互に接続することも可能である。
【００４２】
太陽電池モジュール１において、セル群１１は、矩形（本実施の形態では、短辺と長辺の比が略１対２の長方形）の４つの角部が斜辺とされた疑似矩形（擬似長方形）の外周を有し、タブ部ＴＢ（タブ部ＴＢ１、タブ部ＴＢ２）は、角部に配置されている。
【００４３】
したがって、太陽電池モジュール１は、擬似矩形が有する４つの角部の内、Ｘ方向、Ｙ方向のいずれかで一対となるタブ部ＴＢ（本実施の形態では、図面上、左右２つのＹ方向の内、右側のＹ方向に配置されたタブ部ＴＢ１、タブ部ＴＢ２）を配置することから、太陽電池モジュール１を行方向あるいは列方向（Ｘ方向あるいはＹ方向）に平行に配置（図２Ａ参照）したとき、タブ部ＴＢを角部で互いに対向させることができるので、並列接続のための領域を増やすことなく、太陽電池セルＰＶ１の充填率を向上させて配置面積当たりの発電効率を向上させることができる。なお、上述したとおり、１８０度回転させて配置することも可能である。
【００４４】
太陽電池モジュール１において、セル群１１は、単一の配線基板２０に実装され、タブ部ＴＢは、配線基板２０が延長して形成されている。したがって、太陽電池モジュール１は、セル群１１を配線基板２０に実装し、タブ部ＴＢを配線基板２０から延長していることから、一体性を確保できるので、信頼性、作業性を向上させることができる。
【００４５】
なお、配線基板２０は、両面配線とされ、端子部ＴＰ１は、タブ部ＴＢにおいて相互に接続された両面配線として形成されていることが好ましい。両面配線とすることによって、太陽電池モジュール１は、互いに隣接して配置されたタブ部ＴＢの端子部ＴＰ１同士を容易に接続できる（図２Ａ参照）ことから、並列接続の作業性を向上させて大容量化を容易に実行することができる。
【００４６】
太陽電池モジュール１において、太陽電池セルＰＶ１は、正方形の４つの角部が斜辺とされた擬似正方形（擬似八角形）である。したがって、太陽電池モジュール１は、発電効率の高い結晶性の太陽電池セルＰＶ１を利用して面積充填率、生産性、発電効率を向上させることができる。なお、擬似正方形の例として、例えば、円形のウエハーから擬似正方形を切り出し、円周の一部を擬似正方形の角部の斜辺として残す場合がある。
【００４７】
太陽電池モジュール１が形成する直列回路（セル群１１）では、外部からの電流経路ＭＣ１に対して出力端子ＭＴ１が配置され、外部への電流経路ＭＣ２に対して出力端子ＭＴ２が配置され、出力端子ＭＴ１と出力端子ＭＴ２との間で内部の電流経路ＭＣｍが形成される。
【００４８】
なお、直列接続（直列回路）の両端の出力端子（出力端子ＭＴ１、出力端子ＭＴ２）は、端子部ＴＰ１が並列接続され隣接して配置された他の太陽電池モジュール１に対して並列接続される（図１０Ｂ参照）。端子部ＴＰ１の並列接続に応じて並列接続された太陽電池モジュール１を更に他の太陽電池モジュール１に対して直列接続とするか、並列接続とするかによって出力端子（出力端子ＭＴ１、出力端子ＭＴ２）の接続状態は適宜設定される。
【００４９】
また、出力端子ＭＴ１、出力端子ＭＴ２をタブ部ＴＢへ端子部ＴＰ１と同様に配置することも可能である。出力端子（出力端子ＭＴ１、出力端子ＭＴ２）の接続態様は、適宜設定されるので以下の実施の形態では適宜説明を省略する。
【００５０】
太陽電池モジュール１によれば、直列回路（セル群１１）の同一直列段に配置された太陽電池セルＰＶ１を相互に並列接続したとき、直列接続による電流経路ＭＣｍとは別に並列接続による迂回路（リード配線ＷＬによる電流経路）が形成される（図１０Ｂ参照）ので、同一直列段に配置された太陽電池セルＰＶ１に対する日影の影響を抑制して、日影による出力の低下を防止することができる。なお、並列接続による迂回路の作用効果については、実施の形態１０（図１０Ａ、図１０Ｂ）で更に詳細を説明する。
【００５１】
また、配線基板２０に実装される太陽電池セルＰＶ１は、例えば受光面とは逆の面である裏面に第１極性の電極（例えばｐ型電極）と第２極性の電極（例えばｎ型電極）が形成された裏面電極型であることが好ましいが、これに限るものでは無い。適宜パターニングされた配線基板２０の配線パターンに太陽電池セルＰＶ１が実装される。
【００５２】
＜実施の形態２＞
図２Ａおよび図２Ｂを参照して、本実施の形態に係る太陽電池モジュールアレイ９ａについて説明する。太陽電池モジュールアレイ９ａは、実施の形態１に係る太陽電池モジュール１が複数連結（並列接続）されて構成されている。したがって、符号を援用し、主に連結状態（接続状態）について説明する。
【００５３】
図２Ａは、本発明の実施の形態２に係る太陽電池モジュールアレイ９ａの平面形状を模式的に示す模式平面図である。
【００５４】
図２Ｂは、図２Ａに示した太陽電池モジュールアレイ９ａの接続構成を模式的に示す模式回路図である。
【００５５】
理解を容易にするため２個の太陽電池モジュール１を並列接続する場合を例示して説明する。本実施の形態に係る太陽電池モジュールアレイ９ａは、２個の太陽電池モジュール１がＹ方向（列方向）に平行に配置され、２行を構成している。太陽電池セルＰＶ１は、２行（Ｙ方向で２行）、２列（Ｘ方向で２列）とされて４個配置されている。つまり、２直列２並列の接続構成とされている。
【００５６】
なお、図２Ａでは、平行に配置された太陽電池モジュール１（以下では適宜、太陽電池モジュール１ｆ、太陽電池モジュール１ｓと記載することがある。）は、分離して記載されているが、隣接する太陽電池モジュール１は相互に敷き詰めて配置され、相互に隙間を生じない状態とされる。また、太陽電池モジュール１ｓのタブ部ＴＢ１と太陽電池モジュール１ｆのタブ部ＴＢ２とは、互いに対向して配置される。
【００５７】
太陽電池モジュール１ｆのタブ部ＴＢ１と太陽電池モジュール１ｓのタブ部ＴＢ２とは、それぞれが対称に配置されていることから、２つの太陽電池モジュール１を平行に配置したとき、互いに重なる状態となる。
【００５８】
また、端子部ＴＰ１がタブ部ＴＢに対して点対称に配置されていることから、太陽電池モジュール１ｆのタブ部ＴＢ２と太陽電池モジュール１ｓのタブ部ＴＢ１とが重畳したとき、太陽電池モジュール１ｆのタブ部ＴＢ２に配置された端子部ＴＰ１と太陽電池モジュール１ｓのタブ部ＴＢ１に配置された端子部ＴＰ１とは自己整合的に重なることとなる。
【００５９】
したがって、太陽電池モジュール１ｆのタブ部ＴＢ２に配置された端子部ＴＰ１と太陽電池モジュール１ｓのタブ部ＴＢ１に配置された端子部ＴＰ１とは連結部材ＢＰを介して容易に接続され、太陽電池モジュール１ｆの太陽電池セルＰＶ１と太陽電池モジュール１ｓの太陽電池セルＰＶ１とは、接続点ＣＰ１、リード配線ＷＬ、端子部ＴＰ１、連結部材ＢＰの経路を介して相互に並列接続される。
【００６０】
なお、端子部ＴＰ１は、タブ部ＴＢの両面間をそれぞれ相互に導通する両面配線とされていることが好ましい。この構成によって、重ね合わせた端子部ＴＰ１同士は、両面配線を貫通する貫通穴に充填された半田など（連結部材ＢＰ）で容易に接続される。
【００６１】
なお、連結部材ＢＰは、貫通穴を充填する半田に限らず、対向するタブ部ＴＢの端子部ＴＰ１を相互に接続することができればどのような部材であっても良い。また、出力端子ＭＴ１および出力端子ＭＴ２に対する配線は必要に応じた配線（直列配線、並列配線）を適宜施せば良い。
【００６２】
太陽電池モジュールアレイ９ａでは、Ｙ方向へ太陽電池モジュール１を平行に配置することによって並列接続される太陽電池モジュール１の個数を増やして更に大容量化を図ることができる。また、Ｙ方向への展開を例示したが、一方の太陽電池モジュール１を他方に対して１８０度回転させて相互間を例えばＸ方向で接続する形態とすることも可能である。
【００６３】
太陽電池モジュールアレイ９ａは、太陽電池セルＰＶ１を２直列としたセル群１１が有する１個の接続点ＣＰ１に接続された端子部ＴＰ１を２個（一対）のタブ部ＴＢ（タブ部ＴＢ１、タブ部ＴＢ２）のそれぞれに個別に配置し、各タブ部ＴＢにおいて端子部ＴＰ１を点対称に配置した太陽電池モジュール１を最小単位としている。
【００６４】
したがって、平面視で上下（Ｙ方向）への並列接続（並列配置）に限らず、１８０度回転させた場合での並列接続が可能となる。
【００６５】
＜実施の形態３＞
図３Ａおよび図３Ｂを参照して、本実施の形態に係る太陽電池モジュール３について説明する。太陽電池モジュール３の基本的な構成は、実施の形態１に係る太陽電池モジュール１と同様であり、太陽電池モジュール１が一対のタブ部ＴＢ１、タブ部ＴＢ２を備えるのに対し、太陽電池モジュール３は、更に別の一対のタブ部ＴＢ３、タブ部ＴＢ４を備える点で異なっている。したがって、符号を援用し、主にタブ部ＴＢの相違に関連して説明する。
【００６６】
図３Ａは、本発明の実施の形態３に係る太陽電池モジュール３の平面形状を模式的に示す模式平面図である。
【００６７】
図３Ｂは、図３Ａに示した太陽電池モジュール３の接続構成を模式的に示す模式回路図である。
【００６８】
本実施の形態に係る太陽電池モジュール３において、タブ部ＴＢ（以下では、タブ部ＴＢ１、タブ部ＴＢ２、タブ部ＴＢ３、タブ部ＴＢ４を特に区別する必要が無い場合は、単にタブ部ＴＢとすることがある。）は、二対とされている。また、端子部ＴＰ（端子部ＴＰ１）は、タブ部ＴＢで点対称に配置されている。
【００６９】
つまり、タブ部ＴＢは、二対（タブ部ＴＢ１およびタブ部ＴＢ２の組と、タブ部ＴＢ３およびタブ部ＴＢ４の組。あるいは、タブ部ＴＢ１およびタブ部ＴＢ３の組と、タブ部ＴＢ２およびタブ部ＴＢ４の組。）とされ、対同士は、互いに異なる位置に配置されている。したがって、太陽電池モジュール３は、タブ部ＴＢの配置に応じて端子部ＴＰ１が互いに異なる４方向（４箇所）に導出されることとなり、並べて配置するとき、並列接続される端子部ＴＰ１が増えるので、並列接続の自由度、作業性、信頼性を向上させることができる。
【００７０】
太陽電池モジュール３によれば、タブ部ＴＢが配置された２方向（Ｘ方向、Ｙ方向）で平行に配置し、並列に接続することができる（図４Ａ参照）。また、１８０度回転させて配置することも可能である（図７Ａ参照）。
【００７１】
＜実施の形態４＞
図４Ａおよび図４Ｂを参照して、本実施の形態に係る太陽電池モジュールアレイ９ｂについて説明する。太陽電池モジュールアレイ９ｂは、実施の形態３に係る太陽電池モジュール３が複数連結（並列接続）されて構成されている。また、本実施の形態に係る太陽電池モジュールアレイ９ｂの基本的な構成は、実施の形態２に係る太陽電池モジュールアレイ９ａと同様である。したがって、符号を援用し、主に連結状態（接続状態）について説明する。
【００７２】
図４Ａは、本発明の実施の形態４に係る太陽電池モジュールアレイ９ｂの平面形状を模式的に示す模式平面図である。
【００７３】
図４Ｂは、図４Ａに示した太陽電池モジュールアレイ９ｂの接続構成を模式的に示す模式回路図である。
【００７４】
本実施の形態に係る太陽電池モジュールアレイ９ｂは、実施の形態２に係る太陽電池モジュールアレイ９ａと同様に複数の太陽電池モジュール３が並列接続して配置されている。タブ部ＴＢが４箇所に配置されていることから、並列接続に対する拡張性、信頼性、作業性を向上させることが可能となる。なお、本実施の形態に係る太陽電池モジュールアレイ９ｂの基本的な作用効果は、実施の形態２に係る太陽電池モジュールアレイ９ａの作用効果と同様である。
【００７５】
太陽電池モジュールアレイ９ｂは、２個の太陽電池モジュール３がＹ方向（列方向）に平行に配置され、２行を構成している。太陽電池セルＰＶ１は、２行（Ｙ方向で２行）、２列（Ｘ方向で２列）とされて４個配置されている。つまり、２直列２並列の接続構成とされている。
【００７６】
なお、図４Ａでは、平行に配置された太陽電池モジュール３（以下では適宜、太陽電池モジュール３ｆ、太陽電池モジュール３ｓと記載することがある。）は、分離して記載されているが、隣接する太陽電池モジュール３は相互に敷き詰めて配置され、相互に隙間を生じない状態とされる。また、太陽電池モジュール３ｆのタブ部ＴＢ２と太陽電池モジュール３ｓのタブ部ＴＢ１とは、互いに対向して配置され、太陽電池モジュール３ｆのタブ部ＴＢ４と太陽電池モジュール３ｓのタブ部ＴＢ３とは、互いに対向して配置される。
【００７７】
太陽電池モジュール３ｆのタブ部ＴＢ２と太陽電池モジュール３ｓのタブ部ＴＢ１とは、それぞれが対称に配置されていることから、２つの太陽電池モジュール３を平行に配置したとき、互いに重なる状態となる。同様に、太陽電池モジュール３ｆのタブ部ＴＢ４と太陽電池モジュール３ｓのタブ部ＴＢ３とは、それぞれが対称に配置されていることから、２つの太陽電池モジュール３を平行に配置したとき、互いに重なる状態となる。
【００７８】
また、端子部ＴＰ１がタブ部ＴＢに対して点対称に配置されていることから、太陽電池モジュール３ｆのタブ部ＴＢ２と太陽電池モジュール３ｓのタブ部ＴＢ１とが重畳したとき、太陽電池モジュール３ｆのタブ部ＴＢ２に配置された端子部ＴＰ１と太陽電池モジュール３ｓのタブ部ＴＢ１に配置された端子部ＴＰ１とは自己整合的に重なることとなる。
【００７９】
同様に、太陽電池モジュール３ｆのタブ部ＴＢ４と太陽電池モジュール３ｓのタブ部ＴＢ３とが重畳したとき、太陽電池モジュール３ｆのタブ部ＴＢ４に配置された端子部ＴＰ１と太陽電池モジュール３ｓのタブ部ＴＢ３に配置された端子部ＴＰ１とは自己整合的に重なる。
【００８０】
したがって、太陽電池モジュール３ｆのタブ部ＴＢ２に配置された端子部ＴＰ１と太陽電池モジュール３ｓのタブ部ＴＢ１に配置された端子部ＴＰ１とは連結部材ＢＰを介して容易に接続される。なお、太陽電池モジュール３ｆのタブ部ＴＢ４（端子部ＴＰ１）と太陽電池モジュール３ｓのタブ部ＴＢ３（端子部ＴＰ１）とについても同様である。
【００８１】
つまり、太陽電池モジュール３ｆの太陽電池セルＰＶ１と太陽電池モジュール３ｓの太陽電池セルＰＶ１とは、接続点ＣＰ１、リード配線ＷＬ、端子部ＴＰ１、連結部材ＢＰの経路を介して相互に並列接続される。
【００８２】
なお、端子部ＴＰ１は、タブ部ＴＢの両面間を相互に導通する両面配線とされていることが好ましい。この構成によって、重ね合わせた端子部ＴＰ１同士は、両面配線を貫通する貫通穴に充填された半田など（連結部材ＢＰ）で容易に接続される。
【００８３】
なお、連結部材ＢＰは、貫通穴を充填する半田に限らず、対向するタブ部ＴＢの端子部ＴＰ１を相互に接続することができればどのような部材であっても良い。また、出力端子ＭＴ１および出力端子ＭＴ２に対する配線は必要に応じた配線（直列配線、並列配線）を適宜施せば良い。
【００８４】
太陽電池モジュールアレイ９ｂでは、Ｙ方向へ太陽電池モジュール１を平行に配置することによって並列接続される太陽電池モジュール１の個数を増やして更に大容量化を図ることができる。また、Ｙ方向への展開を例示したが、一方の太陽電池モジュール１を他方に対して１８０度回転させて相互間を例えばＸ方向で接続する形態とすることも可能である。
【００８５】
上述したとおり、太陽電池モジュールアレイ９ｂでは、タブ部ＴＢ１とタブ部ＴＢ２との間の接続に加えて、タブ部ＴＢ３とタブ部ＴＢ４との間の接続が連結部材ＢＰによって施される。
【００８６】
つまり、タブ部ＴＢ１およびタブ部ＴＢ２が形成する対の方向（Ｙ方向）に加えて、更に別のタブ部ＴＢ３およびタブ部ＴＢ４が形成する対の方向（Ｙ方向）での並列接続が施されている。したがって、並列接続の信頼性、作業性を向上させることができる。
【００８７】
太陽電池モジュールアレイ９ｂは、太陽電池セルＰＶ１を２直列としたセル群１１が有する１個の接続点ＣＰ１に接続された端子部ＴＰ１を４個（二対）のタブ部ＴＢ（タブ部ＴＢ１〜タブ部ＴＢ４）のそれぞれに個別に配置し、各タブ部ＴＢにおいて端子部ＴＰ１を点対称に配置した太陽電池モジュール３を最小単位としている。
【００８８】
したがって、平面視で上下（Ｙ方向）への並列接続（並列配置）に限らず、１８０度回転させた場合での並列接続が可能となる。つまり、Ｙ方向へ拡張した太陽電池モジュール３の配置（並列接続）、Ｘ方向へ拡張した太陽電池モジュール３の配置（並列接続）が可能となり、日影の影響を抑制した大容量の太陽電池モジュールアレイ９ｂを実現することができる。
【００８９】
＜実施の形態５＞
図５Ａおよび図５Ｂを参照して、本実施の形態に係る太陽電池モジュール６について説明する。なお、太陽電池モジュール６の基本的な構成は、実施の形態１に係る太陽電池モジュール１、実施の形態３に係る太陽電池モジュール３と同様であるので、適宜符合を援用し、主に異なる事項について説明する。
【００９０】
図５Ａは、本発明の実施の形態５に係る太陽電池モジュール６の平面形状を模式的に示す模式平面図である。
【００９１】
図５Ｂは、図５Ａに示した太陽電池モジュール６の接続構成を模式的に示す模式回路図である。
【００９２】
本実施の形態に係る太陽電池モジュール６は、太陽電池セルＰＶ１が３個直列に配置され、接続点ＣＰ１、接続点ＣＰ２がリード配線ＷＬを介してそれぞれのタブ部ＴＢ（タブ部ＴＢ１、タブ部ＴＢ２、タブ部ＴＢ３、タブ部ＴＢ４）に引き出され、端子部ＴＰ１、端子部ＴＰ２がタブ部ＴＢに配置されている。
【００９３】
つまり、接続点ＣＰ１と端子部ＴＰ１との接続は、接続点ＣＰ１から延長されたリード配線ＷＬが端子部ＴＰ１に接続されて施され、接続点ＣＰ２と端子部ＴＰ２との接続は、接続点ＣＰ２から延長されたリード配線ＷＬが端子部ＴＰ２に接続されて施される。
【００９４】
太陽電池モジュール６は、複数（例えば３個）の太陽電池セルＰＶ１が接続点ＣＰ（例えば接続点ＣＰ１および接続点ＣＰ２の２個。以下では、接続点ＣＰ１、接続点ＣＰ２を特に区別する必要が無い場合は、単に接続点ＣＰとすることがある。）を介して互いに直列接続されたセル群１２と、接続点ＣＰ１および接続点ＣＰ２にそれぞれ接続された端子部ＴＰ１および端子部ＴＰ２と、端子部ＴＰ（端子部ＴＰ１および端子部ＴＰ２。以下では、端子部ＴＰ１、端子部ＴＰ２を特に区別する必要が無い場合は、単に端子部ＴＰとすることがある。）が配置されてセル群１２の外側に形成された少なくとも一対のタブ部ＴＢ（タブ部ＴＢ１、タブ部ＴＢ２の組、あるいはタブ部ＴＢ３、タブ部ＴＢ４の組のいずれか１つ）とを備え、タブ部ＴＢは、互いに線対称に配置されてあり、端子部ＴＰ（端子部ＴＰ１および端子部ＴＰ２）は、それぞれのタブ部ＴＢ（タブ部ＴＢ１〜タブ部ＴＢ４）で点対称に配置されている。
【００９５】
したがって、太陽電池モジュール６は、セル群１２の外側に形成されて線対称に配置された少なくとも一対のタブ部ＴＢ（セル群１２の外周が例えば疑似長方形であるとき、疑似長方形の短辺（Ｙ方向）の両端に配置された２つのタブ部ＴＢ１およびタブ部ＴＢ２の組み合わせ、あるいはタブ部ＴＢ３およびタブ部ＴＢ４の組み合わせ。更には、疑似長方形の長辺（Ｘ方向）の両端に配置された２つのタブ部ＴＢ１およびタブ部ＴＢ３の組み合わせ、あるいはタブ部ＴＢ２およびタブ部ＴＢ４の組み合わせ。）に配置された端子部ＴＰ１および端子部ＴＰ２が、タブ部ＴＢで点対称に配置（タブ部ＴＢの中央（対称点）に対して点対称に配置）されていることから、複数の太陽電池モジュール６の太陽電池セルＰＶ１を並列接続するとき、隣接するタブ部ＴＢ（例えば、一の太陽電池モジュール６のタブ部ＴＢ１に対して他の太陽電池モジュール６のタブ部ＴＢ２。一の太陽電池モジュール６のタブ部ＴＢ３に対して他の太陽電池モジュール６のタブ部ＴＢ４。図６Ａ参照）の端子部ＴＰ同士（端子部ＴＰ１同士、端子部ＴＰ２同士）を容易に接続できるので、並列接続のための特別な配線領域を設けずに太陽電池セルＰＶ１を並列に接続することができる。
【００９６】
太陽電池モジュール６では、タブ部ＴＢは、二対（タブ部ＴＢ１およびタブ部ＴＢ２の組と、タブ部ＴＢ３およびタブ部ＴＢ４の組。あるいは、タブ部ＴＢ１およびタブ部ＴＢ３の組と、タブ部ＴＢ２およびタブ部ＴＢ４の組。）とされ、対同士は、互いに異なる位置に配置されている。したがって、太陽電池モジュール６は、タブ部ＴＢの配置に応じて端子部ＴＰ（端子部ＴＰ１および端子部ＴＰ２のそれぞれ）が互いに異なる４方向（４箇所）に導出されることとなり、並べて配置するとき、並列接続される端子部ＴＰ（端子部ＴＰ１および端子部ＴＰ２）が増えるので、並列接続の自由度、作業性、信頼性を向上させることができる。
【００９７】
太陽電池モジュール６では、接続点ＣＰは、複数（例えば、接続点ＣＰ１、接続点ＣＰ２）あり、複数の接続点ＣＰと同数とされた端子部ＴＰ（接続点ＣＰ１に対応する端子部ＴＰ１および接続点ＣＰ２に対応する端子部ＴＰ２）のそれぞれは、タブ部ＴＢにおいて互いに接続された一対（端子部ＴＰ１が２個、端子部ＴＰ２が２個）とされ、一対ごとに点対称の配置とされている。
【００９８】
したがって、太陽電池モジュール６は、複数の接続点ＣＰ（接続点ＣＰ１および接続点ＣＰ２の２箇所）と同数とされた複数の端子部ＴＰ（端子部ＴＰ１および端子部ＴＰ２の２箇所）をタブ部ＴＢ（タブ部ＴＢ１、タブ部ＴＢ２、タブ部ＴＢ３、タブ部ＴＢ４のそれぞれ）において互いに接続された一対（各タブ部ＴＢで、１つの接続点ＣＰ１に対応する端子部ＴＰ１が互いに接続されて２個、１つの接続点ＣＰ２に対応する端子部ＴＰ２が互いに接続されて２個。）として点対称に配置しているので、１８０度回転させての並列接続が容易となることから、複数の接続点ＣＰ（接続点ＣＰ１および接続点ＣＰ２。複数の接続点ＣＰに対応して配置された複数の端子部ＴＰ（端子部ＴＰ１および端子部ＴＰ２））を備える場合でも、配置の自由度を向上させることができる。
【００９９】
なお、各タブ部ＴＢにおいて、端子部ＴＰ１および端子部ＴＰ２が一対（２個）ごとに点対称に配置されているとは、端子部ＴＰ１および端子部ＴＰ２は、各タブ部ＴＢにおいて互いに接続された２個とされ、２個の端子部ＴＰ１および２個端子部ＴＰ２は、それぞれがタブ部ＴＢの中央（対称点）に対して点対称に配置されている状態を示す。
【０１００】
したがって、各タブ部ＴＢに配置された端子部ＴＰは、例えば時計回りの方向（反時計回りの方向）で、端子部ＴＰ１、端子部ＴＰ２、２個目の端子部ＴＰ１、２個目の端子部ＴＰ２が順に配置され、端子部ＴＰは、対称点（タブ部ＴＢの中心）を中心とする矩形の各頂点（あるいは、同心円上で４分割された点）を形成している。矩形は正方形、あるいは長方形であることが好ましいが、各端子部ＴＰが対称に配置されていれば良く、これに限るものでは無い。また、平面視で、端子部ＴＰの配置状態は、各タブ部ＴＢにおいて同一となる。
【０１０１】
セル群１２は、矩形（本実施の形態では、短辺と長辺の比が略１対３の長方形）の４つの角部が斜辺とされた疑似矩形（擬似長方形）の外周を有し、タブ部ＴＢ（タブ部ＴＢ１〜タブ部ＴＢ４）は、各角部に配置されている。したがって、太陽電池モジュール６は、擬似矩形が有する４つの角部にタブ部ＴＢを配置することから、太陽電池モジュール６を行列状に配置したとき、タブ部ＴＢを角部で互いに対向させることができるので、並列接続のための領域を増やすことなく、太陽電池セルＰＶ１の充填率を向上させて配置面積当たりの発電効率を向上させることができる。なお、太陽電池モジュール６は、上述したとおり、１８０度回転させて配置することも可能である。
【０１０２】
上述したとおり、本実施の形態に係る太陽電池モジュール６は、３直列（２接続点）の接続構成として例示したが、セル群１２の構成は、これに限るものではなく、更に直列数を多くすることも可能である。例えば、６直列で２個ずつに区分して３個の接続点ＣＰ１〜接続点ＣＰ３を配置することなど種々の変形例が可能である。つまり、太陽電池モジュール６は、例えば、次のように特定することも可能である。
【０１０３】
太陽電池モジュール６は、少なくとも３個の太陽電池セルＰＶ１をセル群１２として備え、タブ部ＴＢは、少なくとも２個の端子部ＴＰを備える。
【０１０４】
したがって、太陽電池モジュール６は、セル群１２が有する太陽電池セルＰＶ１の直列数を少なくとも３個とすることから、更に高電圧化が可能となり、また、タブ部ＴＢでの端子部ＴＰを少なくとも２個とすることから、少なくとも３個の太陽電池セルＰＶ１のそれぞれを並列に接続することができるので、並列接続の形態を拡大して汎用性を更に向上することができる。
【０１０５】
＜実施の形態６＞
図６Ａおよび図６Ｂを参照して、本実施の形態に係る太陽電池モジュールアレイ９ｃについて説明する。太陽電池モジュールアレイ９ｃは、実施の形態５に係る太陽電池モジュール６が複数連結（並列接続）されて構成されている。また、本実施の形態に係る太陽電池モジュールアレイ９ｃの基本的な構成は、実施の形態２に係る太陽電池モジュールアレイ９ａ、実施の形態４に係る太陽電池モジュールアレイ９ｂと同様である。したがって、符号を援用し、主に連結状態（接続状態）について説明する。
【０１０６】
図６Ａは、本発明の実施の形態６に係る太陽電池モジュールアレイ９ｃの平面形状を模式的に示す模式平面図である。
【０１０７】
図６Ｂは、図６Ａに示した太陽電池モジュールアレイ９ｃの接続構成を模式的に示す模式回路図である。
【０１０８】
２個の太陽電池モジュール６を並列接続する場合を例示して説明する。本実施の形態に係る太陽電池モジュールアレイ９ｃは、２個の太陽電池モジュール６がＹ方向（列方向）に平行に配置され、２行を構成している。太陽電池セルＰＶ１は、２行（Ｙ方向で２行）、３列（Ｘ方向で３列）とされて６個配置されている。つまり、３直列２並列の接続構成とされている。
【０１０９】
なお、図６Ａでは、平行に配置された太陽電池モジュール６（以下では適宜、太陽電池モジュール６ｆ、太陽電池モジュール６ｓと記載することがある。）は、分離して記載されているが、隣接する太陽電池モジュール６は相互に敷き詰めて配置され、相互に隙間を生じない状態とされる。また、太陽電池モジュール６ｆのタブ部ＴＢ２と太陽電池モジュール６ｓのタブ部ＴＢ１とは、互いに対向して配置され、太陽電池モジュール６ｆのタブ部ＴＢ４と太陽電池モジュール６ｓのタブ部ＴＢ３とは、互いに対向して配置される。
【０１１０】
太陽電池モジュール６ｆのタブ部ＴＢ２と太陽電池モジュール６ｓのタブ部ＴＢ１とは、それぞれが対称に配置されていることから、２つの太陽電池モジュール６を平行に配置したとき、互いに重なる状態となる。同様に、太陽電池モジュール６ｆのタブ部ＴＢ４と太陽電池モジュール６ｓのタブ部ＴＢ３とは、それぞれが対称に配置されていることから、２つの太陽電池モジュール６を平行に配置したとき、互いに重なる状態となる。
【０１１１】
また、２つの端子部ＴＰ１、２つの端子部ＴＰ２は、それぞれがタブ部ＴＢに対して点対称に配置されていることから、太陽電池モジュール６ｆのタブ部ＴＢ２と太陽電池モジュール６ｓのタブ部ＴＢ１とが重畳したとき、太陽電池モジュール６ｆのタブ部ＴＢ２に配置された端子部ＴＰ１と太陽電池モジュール６ｓのタブ部ＴＢ１に配置された端子部ＴＰ１とは自己整合的に重なり、太陽電池モジュール６ｆのタブ部ＴＢ２に配置された端子部ＴＰ２と太陽電池モジュール６ｓのタブ部ＴＢ１に配置された端子部ＴＰ２とは自己整合的に重なることとなる。なお、太陽電池モジュール６ｆのタブ部ＴＢ４と太陽電池モジュール６ｓのタブ部ＴＢ３とについても同様である。
【０１１２】
したがって、太陽電池モジュール６ｆのタブ部ＴＢ２に配置された端子部ＴＰ１と太陽電池モジュール６ｓのタブ部ＴＢ１に配置された端子部ＴＰ１とは連結部材ＢＰを介して容易に接続され、太陽電池モジュール６ｆのタブ部ＴＢ２に配置された端子部ＴＰ２と太陽電池モジュール６ｓのタブ部ＴＢ１に配置された端子部ＴＰ２とは連結部材ＢＰを介して容易に接続される。なお、太陽電池モジュール６ｆのタブ部ＴＢ４と太陽電池モジュール６ｓのタブ部ＴＢ３に配置された端子部ＴＰについても同様である。
【０１１３】
つまり、太陽電池モジュール６ｆの太陽電池セルＰＶ１と太陽電池モジュール６ｓの太陽電池セルＰＶ１とは、接続点ＣＰ１（接続点ＣＰ２）、リード配線ＷＬ、端子部ＴＰ１（端子部ＴＰ２）、連結部材ＢＰの経路を介して相互に並列接続される。
【０１１４】
なお、端子部ＴＰは、タブ部ＴＢの両面間をそれぞれ相互に導通する両面配線とされていることが好ましい。この構成によって、重ね合わせた端子部ＴＰ１同士は、両面配線を貫通する貫通穴に充填された半田など（連結部材ＢＰ）で容易に接続される。
【０１１５】
太陽電池モジュールアレイ９ｃでは、Ｙ方向へ太陽電池モジュール１を平行に配置することによって並列接続される太陽電池モジュール６の個数を増やして更に大容量化を図ることができる。また、Ｙ方向への展開を例示したが、一方の太陽電池モジュール６を他方に対して１８０度回転させて相互間を接続する形態とすることも可能である（図８Ａ参照）。
【０１１６】
太陽電池モジュールアレイ９ｃは、太陽電池セルＰＶ１を３直列としたセル群１２が有する２個の接続点ＣＰ（接続点ＣＰ１、接続点ＣＰ２）にそれぞれ接続された２個の端子部ＴＰ（端子部ＴＰ１、端子部ＴＰ２）を４個（二対）のタブ部ＴＢ（タブ部ＴＢ１〜タブ部ＴＢ４）にそれぞれ配置し、各タブ部ＴＢにおいてそれぞれの端子部ＴＰを対として配置した太陽電池モジュール６を最小単位としている。
【０１１７】
したがって、平面視で左右上下への並列接続（並列配置）に限らず、１８０度回転させた場合での並列接続が可能となる。
【０１１８】
＜実施の形態７＞
図７Ａおよび図７Ｂを参照して、本実施の形態に係る太陽電池モジュールアレイ９ｄについて説明する。太陽電池モジュールアレイ９ｄは、実施の形態４に係る太陽電池モジュールアレイ９ｂの変形例であり、太陽電池モジュール３（太陽電池モジュール３ｆおよび太陽電池モジュール３ｓ。以下では適宜、太陽電池モジュール３ｆ、太陽電池モジュール３ｓと記載することがある。）を逆向きに配置した状態（１８０度回転させた状態）で並列接続するものである。太陽電池モジュールアレイ９ｄの基本的な構成は、実施の形態４に係る太陽電池モジュールアレイ９ｂと同様である。したがって、符号を援用し、主に連結状態（接続状態）について説明する。
【０１１９】
図７Ａは、本発明の実施の形態７に係る太陽電池モジュールアレイ９ｄの平面形状を模式的に示す模式平面図である。
【０１２０】
図７Ｂは、図７Ａに示した太陽電池モジュールアレイ９ｄの接続構成を模式的に示す模式回路図である。
【０１２１】
実施の形態４に係る太陽電池モジュールアレイ９ｂと同様に複数の太陽電池モジュール３を並列接続して配置することで本実施の形態に係る太陽電池モジュールアレイ９ｄが形成される。タブ部ＴＢが４箇所に配置されていることから、並列接続に対する信頼性、作業性を向上させることが可能となる。なお、本実施の形態に係る太陽電池モジュールアレイ９ｄの作用効果は、実施の形態４に係る太陽電池モジュールアレイ９の作用効果と同様である。
【０１２２】
太陽電池モジュールアレイ９ｄでは、太陽電池モジュール３ｆと太陽電池モジュール３ｓとは、相互に逆向きに電流経路ＭＣｍが形成されている。つまり、太陽電池モジュール３は、相互に逆向きに配置された状態で並列接続されている。
【０１２３】
したがって、２つの太陽電池モジュール３を逆方向に向けた状態で並べて配置したとき、例えば太陽電池モジュール３ｆのタブ部ＴＢは、右肩から時計回りの方向でタブ部ＴＢ１、タブ部ＴＢ２、タブ部ＴＢ４、タブ部ＴＢ３の順に配置されるが、太陽電池モジュール３ｓのタブ部ＴＢは、右肩から時計回りの方向でタブ部ＴＢ４、タブ部ＴＢ３、タブ部ＴＢ１、タブ部ＴＢ２の順に配置される。
【０１２４】
つまり、太陽電池モジュール３ｆのタブ部ＴＢ２に対しては太陽電池モジュール３ｓのタブ部ＴＢ４が隣接（対向）し、太陽電池モジュール３ｆのタブ部ＴＢ４に対しては太陽電池モジュール３ｓのタブ部ＴＢ２が隣接（対向）する。
【０１２５】
また、実施の形態１に係る太陽電池モジュール１、実施の形態３に係る太陽電池モジュール３について説明したとおり、タブ部ＴＢ（タブ部ＴＢ１〜タブ部ＴＢ４）は、互いに線対称に配置されてあり、端子部ＴＰ（端子部ＴＰ１）は、タブ部ＴＢで点対称に配置されている。
【０１２６】
したがって、太陽電池モジュール３ｆのタブ部ＴＢ２と太陽電池モジュール３ｓのタブ部ＴＢ４とは、自己整合的に位置合わせされ、また、太陽電池モジュール３ｆのタブ部ＴＢ２の端子部ＴＰ１と太陽電池モジュール３ｓのタブ部ＴＢ４の端子部ＴＰ１とは、自己整合的に位置合わせされ連結部材ＢＰを介して接続される。また、同様に太陽電池モジュール３ｆのタブ部ＴＢ４の端子部ＴＰ１と太陽電池モジュール３ｓのタブ部ＴＢ２の端子部ＴＰ１とは、位置合わせされ連結部材ＢＰを介して接続される。
【０１２７】
なお、太陽電池モジュール３ｆを基準として電流経路ＭＣ１、電流経路ＭＣ２を考えると、太陽電池モジュール３ｓでは、太陽電池モジュール３ｆの出力端子ＭＴ１から太陽電池モジュール３ｓの出力端子ＭＴ１へ適宜の電流経路ＭＣｒが設定され、太陽電池モジュール３ｓの出力端子ＭＴ２から太陽電池モジュール３ｆの出力端子ＭＴ２へ適宜の電流経路ＭＣｒが設定されている。
【０１２８】
つまり、互いに逆方向となる電流経路ＭＣｍを有する太陽電池モジュール３は、平行に配置された状態で相互に並列接続が可能となることから、日影の影響を抑制した大容量の太陽電池モジュールアレイ９を実現することができる。
【０１２９】
＜実施の形態８＞
図８Ａおよび図８Ｂを参照して、本実施の形態に係る太陽電池モジュールアレイ９ｅについて説明する。太陽電池モジュールアレイ９ｅは、実施の形態６に係る太陽電池モジュールアレイ９ｃの変形例であり、太陽電池モジュール６（太陽電池モジュール６ｆおよび太陽電池モジュール６ｓ。以下では適宜、太陽電池モジュール６ｆ、太陽電池モジュール６ｓと記載することがある。）を逆向きに配置した状態（１８０度回転させた状態）で並列接続するものである。本実施の形態に係る太陽電池モジュールアレイ９ｅの基本的な構成は、実施の形態６に係る太陽電池モジュールアレイ９ｃと同様である。したがって、符号を援用し、主に連結状態（接続状態）について説明する。
【０１３０】
図８Ａは、本発明の実施の形態８に係る太陽電池モジュールアレイ９ｅの平面形状を模式的に示す模式平面図である。
【０１３１】
図８Ｂは、図８Ａに示した太陽電池モジュールアレイ９ｅの接続構成を模式的に示す模式回路図である。
【０１３２】
実施の形態６に係る太陽電池モジュールアレイ９ｃと同様に複数の太陽電池モジュール６を並列接続して配置することで本実施の形態に係る太陽電池モジュールアレイ９ｅが形成される。タブ部ＴＢが４箇所に配置されていることから、並列接続に対する信頼性、作業性を向上させることが可能となる。なお、本実施の形態に係る太陽電池モジュールアレイ９ｅの作用効果は、実施の形態６に係る太陽電池モジュールアレイ９ｃの作用効果と同様である。
【０１３３】
太陽電池モジュールアレイ９ｅでは、太陽電池モジュール６ｆと太陽電池モジュール６ｓとは、相互に逆向きに電流経路ＭＣｍが形成されている。つまり、太陽電池モジュール６は、相互に逆向きに配置された状態で並列接続されている。
【０１３４】
したがって、２つの太陽電池モジュール６を逆方向に向けた状態で平行に配置したとき、例えば太陽電池モジュール６ｆのタブ部ＴＢは、右肩から時計回りの方向でタブ部ＴＢ１、タブ部ＴＢ２、タブ部ＴＢ４、タブ部ＴＢ３の順に配置されるが、太陽電池モジュール６ｓでのタブ部ＴＢは、右肩から時計回りの方向でタブ部ＴＢ４、タブ部ＴＢ３、タブ部ＴＢ１、タブ部ＴＢ２の順に配置される。
【０１３５】
つまり、太陽電池モジュール６ｆのタブ部ＴＢ２に対しては太陽電池モジュール６ｓのタブ部ＴＢ４が隣接（対向）し、太陽電池モジュール６ｆのタブ部ＴＢ４に対しては太陽電池モジュール６ｓのタブ部ＴＢ２が隣接（対向）する。
【０１３６】
また、実施の形態１に係る太陽電池モジュール１、実施の形態５に係る太陽電池モジュール６について説明したとおり、タブ部ＴＢ（タブ部ＴＢ１〜タブ部ＴＢ４）は、互いに線対称に配置されてあり、端子部ＴＰ（端子部ＴＰ１および端子部ＴＰ２）は、各タブ部ＴＢで点対称に配置されている。
【０１３７】
したがって、太陽電池モジュール６ｆのタブ部ＴＢ２と太陽電池モジュール６ｓのタブ部ＴＢ４とは、自己整合的に位置合わせされ、また、太陽電池モジュール６ｆのタブ部ＴＢ２の端子部ＴＰ１と太陽電池モジュール６ｓのタブ部ＴＢ４の端子部ＴＰ１とは、自己整合的に位置合わせされ連結部材ＢＰを介して容易に接続される。また、太陽電池モジュール６ｆのタブ部ＴＢ２の端子部ＴＰ２と太陽電池モジュール６ｓのタブ部ＴＢ４の端子部ＴＰ２とについても同様である。また、太陽電池モジュール６ｆのタブ部ＴＢ４と太陽電池モジュール６ｓのタブ部ＴＢ２にそれぞれ配置された端子部ＴＰについても同様である。
【０１３８】
つまり、太陽電池モジュール６ｆの太陽電池セルＰＶ１と太陽電池モジュール６ｓの太陽電池セルＰＶ１とは、接続点ＣＰ１（接続点ＣＰ２）、リード配線ＷＬ、端子部ＴＰ１（端子部ＴＰ２）、連結部材ＢＰの経路を介して相互に並列接続される。
【０１３９】
なお、太陽電池モジュール６ｆを基準として電流経路ＭＣ１、電流経路ＭＣ２を考えると、太陽電池モジュール６ｓでは、太陽電池モジュール６ｆの出力端子ＭＴ１から太陽電池モジュール６ｓの出力端子ＭＴ１へ適宜の電流経路ＭＣｒが設定され、太陽電池モジュール６ｓの出力端子ＭＴ２から太陽電池モジュール６ｆの出力端子ＭＴ２へ適宜の電流経路ＭＣｒが設定されている。
【０１４０】
つまり、互いに逆方向となる電流経路ＭＣｍを有する太陽電池モジュール６は、平行に配置された状態で相互に並列接続が可能となることから、日影の影響を抑制した大容量の太陽電池モジュールアレイ９を実現することができる。
【０１４１】
＜実施の形態９＞
図９Ａないし図９Ｅを参照して、本実施の形態に係る太陽電池モジュール７、太陽電池モジュール７が並列接続された太陽電池モジュールアレイ９ｆ、更には、太陽電池モジュール７の変形例としての太陽電池モジュール８について説明する。太陽電池モジュール７、太陽電池モジュール８は、太陽電池セルＰＶ２を４直列としたものである。基本的な構成は、実施の形態１その他と同様であるので、符号を援用し、主に異なる事項について説明する。
【０１４２】
図９Ａは、本発明の実施の形態９に係る太陽電池モジュール７の平面形状を模式的に示す模式平面図である。
【０１４３】
本実施の形態に係る太陽電池モジュール７は、４個の太陽電池セルＰＶ２が接続点ＣＰ（接続点ＣＰ１、接続点ＣＰ２、接続点ＣＰ３の３個。以下では、接続点ＣＰ１、接続点ＣＰ２、接続点ＣＰ３を特に区別する必要が無い場合は、単に接続点ＣＰとすることがある。）を介して互いに直列接続されたセル群１３を備える。つまり、太陽電池モジュール７は、４直列とされた太陽電池セルＰＶ２を備える。したがって、３直列の場合に比較してセル間の接続点としての接続点ＣＰ３が追加されている。また、接続点ＣＰ３と端子部ＴＰ３との接続は、他と同様、接続点ＣＰ３から延長されたリード配線ＷＬが端子部ＴＰ３に接続されて施される。
【０１４４】
タブ部ＴＢは、実施の形態３に係る太陽電池モジュール３、実施の形態５に係る太陽電池モジュール６と同様、二対とされ、４個（タブ部ＴＢ１〜タブ部ＴＢ４）配置されている。また、各タブ部ＴＢには、接続点ＣＰ（接続点ＣＰ１、接続点ＣＰ２、接続点ＣＰ３）に対応する端子部ＴＰ（接続点ＣＰ１に接続された端子部ＴＰ１、接続点ＣＰ２に接続された端子部ＴＰ２、接続点ＣＰ３に接続された端子部ＴＰ３。以下では、端子部ＴＰ１、端子部ＴＰ２、端子部ＴＰ３を特に区別する必要が無い場合は、単に端子部ＴＰとすることがある。）が配置されている。つまり、接続点ＣＰ３に対応して端子部ＴＰ３が形成されている。
【０１４５】
端子部ＴＰ（端子部ＴＰ１、端子部ＴＰ２、端子部ＴＰ３）は、タブ部ＴＢで点対称に配置されている。また、複数の接続点ＣＰ（接続点ＣＰ１、接続点ＣＰ２、接続点ＣＰ３の３個。）と同数とされた端子部ＴＰ（端子部ＴＰ１、端子部ＴＰ２、端子部ＴＰ３の３個。）のそれぞれは、タブ部ＴＢ（端子部ＴＰ１、端子部ＴＰ２、端子部ＴＰ３のそれぞれ）において互いに接続された一対（端子部ＴＰ１が２個、端子部ＴＰ２が２個、端子部ＴＰ３が２個）とされ、一対ごとに点対称の配置とされている。
【０１４６】
つまり、タブ部ＴＢでは、相互に接続された端子部ＴＰ１が２個、同じく相互に接続された端子部ＴＰ２が２個、同じく相互に接続された端子部ＴＰ３が２個それぞれ点対称に配置され、例えば、六角形の各頂点を構成している。したがって、各タブ部ＴＢに配置された端子部ＴＰは、反時計回りの方向で、端子部ＴＰ１、端子部ＴＰ２、端子部ＴＰ３、２個目の端子部ＴＰ１、２個目の端子部ＴＰ２、２個目の端子部ＴＰ３の順で配置され、端子部ＴＰは、対称点（タブ部ＴＢの中心）を中心とする六角形の各頂点（あるいは、同心円上で６分割された点）を形成している。正六角形であることが好ましいが、各端子部ＴＰが対称に配置されていれば良く、これに限るものでは無い。また、平面視で、端子部ＴＰの配置状態は、各タブ部ＴＢにおいて同一となる。
【０１４７】
太陽電池モジュール７に適用される太陽電池セルＰＶ２は、太陽電池セルＰＶ１（実施の形態１他参照）を同一方向で平行に４分割して形成されている。つまり、太陽電池セルＰＶ２は、正方形の４つの角部が斜辺とされた擬似正方形（太陽電池セルＰＶ１）が分割されて形成されている。４個の太陽電池セルＰＶ２は、斜辺を有する疑似長方形、斜辺を有しない長方形の２種類で形成され、セル群１３の両端に疑似長方形の太陽電池セルＰＶ２が配置されている。
【０１４８】
したがって、太陽電池モジュール７は、直列に接続された複数の太陽電池セルＰＶ２を容易にかつ効率的に形成することが可能となり、生産性を向上させて高電圧化を図ることができる。なお、４分割の場合を例示したが、他の分割数とすることが可能である。
【０１４９】
その他、基本的な構成、作用は、他の実施の形態と同様であり詳細な説明は省略する。
【０１５０】
図９Ｂは、図９Ａに示した太陽電池モジュール７を並列接続して形成された太陽電池モジュールアレイ９ｆの平面形状を模式的に示す模式平面図である。なお、太陽電池セルＰＶ２は縮小して示し、タブ部ＴＢは相対的に大きく示している。また、リード配線ＷＬなどの記載を適宜省略している。
【０１５１】
本実施の形態に係る太陽電池モジュールアレイ９ｆは、太陽電池モジュール７（太陽電池モジュール７ｆおよび太陽電池モジュール７ｓ。以下では適宜、太陽電池モジュール７ｆ、太陽電池モジュール７ｓと記載することがある。）を逆向きに配置した状態（１８０度回転させた状態）で並列接続するものである。
【０１５２】
２つの太陽電池モジュール７は、逆方向に向けた状態で並べて配置されているから、太陽電池モジュール７ｆのタブ部ＴＢは、右肩から時計回りの方向でタブ部ＴＢ１、タブ部ＴＢ２、タブ部ＴＢ４、タブ部ＴＢ３の順に配置されるが、太陽電池モジュール７ｓでのタブ部ＴＢは、右肩から時計回りの方向でタブ部ＴＢ４、タブ部ＴＢ３、タブ部ＴＢ１、タブ部ＴＢ２の順に配置される。
【０１５３】
つまり、太陽電池モジュール７ｆのタブ部ＴＢ２に対しては太陽電池モジュール７ｓのタブ部ＴＢ４が隣接（対向）し、太陽電池モジュール７ｆのタブ部ＴＢ４に対しては太陽電池モジュール７ｓのタブ部ＴＢ２が隣接（対向）する。
【０１５４】
また、実施の形態１に係る太陽電池モジュール１、実施の形態５に係る太陽電池モジュール６について説明したとおり、タブ部ＴＢ（タブ部ＴＢ１〜タブ部ＴＢ４）は、互いに線対称に配置されてあり、端子部ＴＰ（端子部ＴＰ１〜端子部ＴＰ３）は、タブ部ＴＢで点対称に配置されている。
【０１５５】
したがって、太陽電池モジュール７ｆのタブ部ＴＢ２と太陽電池モジュール７ｓのタブ部ＴＢ４とは、自己整合的に位置合わせされ、太陽電池モジュール７ｆのタブ部ＴＢ４と太陽電池モジュール７ｓのタブ部ＴＢ２とは、自己整合的に位置合わせされる。
【０１５６】
また、太陽電池モジュール７ｆのタブ部ＴＢ２の端子部ＴＰと太陽電池モジュール７ｓのタブ部ＴＢ４の端子部ＴＰとは、自己整合的に位置合わせされて連結部材ＢＰを介して接続される。太陽電池モジュール７ｆのタブ部ＴＢ４の端子部ＴＰと太陽電池モジュール７ｓのタブ部ＴＢ２の端子部ＴＰについても同様である。
【０１５７】
なお、太陽電池モジュール７ｆを基準として電流経路ＭＣ１、電流経路ＭＣ２を考えると、太陽電池モジュール７ｓでは、太陽電池モジュール７ｆの出力端子ＭＴ１から太陽電池モジュール７ｓの出力端子ＭＴ１へ適宜の電流経路ＭＣｒが設定され、太陽電池モジュール７ｓの出力端子ＭＴ２から太陽電池モジュール７ｆの出力端子ＭＴ２へ適宜の電流経路ＭＣｒが設定されている。
【０１５８】
つまり、互いに逆方向となる電流経路ＭＣｍを有する太陽電池モジュール７は、平行に配置された状態で相互に並列接続が可能となることから、日影の影響を抑制した大容量の太陽電池モジュールアレイ９ｆを実現することができる。
【０１５９】
太陽電池モジュールアレイ９ｆは、太陽電池セルＰＶ２を４直列としたセル群１３が有する３個の接続点ＣＰ（接続点ＣＰ１〜接続点ＣＰ３）にそれぞれ接続された３個の端子部ＴＰ（端子部ＴＰ１〜端子部ＴＰ３）を４個（二対）のタブ部ＴＢ（タブ部ＴＢ１〜タブ部ＴＢ４）のそれぞれに配置し、各タブ部ＴＢにおいてそれぞれの端子部ＴＰを対として配置した太陽電池モジュール７を最小単位としている。
【０１６０】
したがって、平面視で左右上下への並列接続（並列配置）に限らず、１８０度回転させた場合での並列接続が可能となる。
【０１６１】
図９Ｃは、図９Ａに示した太陽電池モジュール７のタブ部ＴＢでの端子部ＴＰの配置の変形例を模式的に示す模式平面図である。
【０１６２】
図９Ａでは、端子部ＴＰが対称点（タブ部ＴＢの中心）を中心とする六角形の各頂点（あるいは、同心円上で６分割された点）を形成している場合を例示したが、端子部ＴＰ１、端子部ＴＰ２、端子部ＴＰ３を直線上に配置することも可能である。
【０１６３】
つまり、対称点を中心に有する直線上で、一端から端子部ＴＰ１、端子部ＴＰ２、端子部ＴＰ３、２個目の端子部ＴＰ３、２個目の端子部ＴＰ２、２個目の端子部ＴＰ１の順で配置した場合、端子部ＴＰのそれぞれは、互いに接続された一対とされ、一対ごとに点対称の配置とされていることとなる。
【０１６４】
図９Ｄは、図９Ａに示した太陽電池モジュール７の端子部ＴＰの形状を変形した太陽電池モジュール８の平面形状を模式的に示す模式平面図である。
【０１６５】
図９Ｅは、図９Ｄに示した太陽電池モジュール８の端子部ＴＰを拡大して示す拡大平面図である。
【０１６６】
太陽電池モジュール８の基本的な構成は、太陽電池モジュール７と同様であるので、主に異なる事項について説明する。
【０１６７】
太陽電池モジュール８が備える端子部ＴＰは、具体的には接続点ＣＰ（接続点ＣＰ１、接続点ＣＰ２、接続点ＣＰ３）に対応する端子部ＴＰ１、端子部ＴＰ２、端子部ＴＰ３である。端子部ＴＰ１、端子部ＴＰ２、端子部ＴＰ３は、タブ部ＴＢの中心を中心点とするリング状の同心環とされ、点対称に配置されている。
【０１６８】
つまり、端子部ＴＰ（端子部ＴＰ１、端子部ＴＰ２、端子部ＴＰ３）は、環状（同心環）であることから、どの方向に対しても、タブ部ＴＢで点対称に配置されている。したがって、タブ部ＴＢ１ないしタブ部ＴＢ４は、左右上下に対して連続的な接続をすることが可能となる。
【０１６９】
なお、端子部ＴＰ３（最も内側の同心環）は、リング状ではなく、円形とすることも可能である。つまり、円形とした場合は、円の中心がそのまま対称点となる。
【０１７０】
その他の構成は、図９Ａに示した太陽電池モジュール７と同様であり、太陽電池モジュール７と同様に作用するので説明は省略する。なお、他の実施の形態と同様、同心環の個数は、接続点ＣＰに応じて適宜調整することができる。
【０１７１】
＜実施の形態１０＞
図１０Ａおよび図１０Ｂを参照して、実施の形態９に係る太陽電池モジュールアレイ９ｆを用いた場合の並列接続による日影対策としての効果について説明する。
【０１７２】
図１０Ａは、図９Ｂに示した太陽電池モジュールアレイ９ｆ（太陽電池モジュール７）に日影ＳＨＤが落ちたときの平面状態を模式的に示す模式平面図である。
【０１７３】
図１０Ｂは、図１０Ａに示した太陽電池モジュールアレイ９ｆへの日影による回路状態を模式的に示す模式回路図である。
【０１７４】
太陽光および遮光物の位置関係によって生じる日影は通常一定の領域を占める状態となり、また一定の方向性を有することが多い。したがって、本実施の形態では、太陽電池モジュール７ｆの直列段で電流経路ＭＣ１の側から３段目の太陽電池セルＰＶ２と、太陽電池モジュール７ｆと平行に隣接して配置された太陽電池モジュール７ｓの直列段で太陽電池モジュール７ｆの３段目に対応する太陽電池セルＰＶ２に跨って日影ＳＨＤが落ちた状態を想定している。
【０１７５】
日影ＳＨＤが落ちた太陽電池セルＰＶ２は光起電力を生じず、単なる抵抗負荷となることから、電流経路ＭＣｍは電流の制限を受け、通常の光起電力による電流経路ＭＣｍでの電流は流れない（図１０Ｂ参照）。つまり、太陽電池モジュール７ｆ、太陽電池モジュール７ｓのいずれの側においても単なる直列接続に対応する電流経路ＭＣｍでの電流は流れない状態となる。
【０１７６】
したがって、並列接続が無い状態を想定したときの電流太陽電池モジュールアレイ９ｆは、外部へ電流を取り出せない状態となる。しかしながら、本実施の形態に係る太陽電池モジュールアレイ９ｆは、太陽電池モジュール７ｆと太陽電池モジュール７ｓとの間で並列接続がなされ、並列電流路（リード配線ＷＬ）を介してバイパス経路ＭＣｓ（迂回路）が形成され電流が流れる。
【０１７７】
また、太陽電池モジュール７ｆおよび太陽電池モジュール７ｓは、電流経路ＭＣｍで流れる電流方向を逆向きとして設定している。したがって、図１０Ｂに示すとおり、同一直列段において、日影の影響を受ける太陽電池セルＰＶ２が一致することが回避され、リード配線ＷＬによるバイパス経路ＭＣｓが有効に機能して光発電した光電流が流れる状態とされている。
【０１７８】
したがって、太陽電池モジュールアレイ９ｆとしては、全体としての電流経路を確保できることから、受光している太陽電池セルＰＶ２の個数に応じた電力をそのまま外部へ取り出すことが可能である。したがって、太陽電池モジュールアレイ９ｆは、受光面積（受光した太陽電池セルＰＶ２の個数）に応じた光起電力（光発電した光電流）を生じ、日影による影響を回避することができ、結果として高い発電効率を確保することができる。
【０１７９】
なお、本実施の形態では、理解の容易さを考慮して、太陽電池モジュール７ｆ、太陽電池モジュール７ｓの２並列で相互に電流経路ＭＣｍを逆向きとした場合を示したが、並列回路数を増やし、逆向き配置（隣接する太陽電池モジュール７を相互に逆向きの電流経路ＭＣｍが流れるように配置）をバランス良く均衡に配置することによって、日影対策としての効果は更に大きくなる。
【０１８０】
上記した実施の形態１ないし実施の形態１０における各実施の形態に係る特定事項は、相互に他の実施の形態に適宜適用可能である。
【符号の説明】
【０１８１】
１、１ｆ、１ｓ  太陽電池モジュール
３、３ｆ、３ｓ  太陽電池モジュール
６、６ｆ、６ｓ  太陽電池モジュール
７、７ｆ、７ｓ  太陽電池モジュール
８  太陽電池モジュール
９ａ、９ｂ、９ｃ、９ｄ、９ｅ、９ｆ  太陽電池モジュールアレイ
１１、１２、１３  セル群
２０  配線基板
ＣＰ、ＣＰ１、ＣＰ２、ＣＰ３  接続点
ＢＰ  連結部材
ＭＣ１、ＭＣ２、ＭＣｍ、ＭＣｒ  電流経路
ＭＣｓ  バイパス経路
ＭＴ１、ＭＴ２  出力端子
ＷＬ  リード配線
ＳＨＤ  日影
ＴＢ、ＴＢ１、ＴＢ２、ＴＢ３、ＴＢ４  タブ部
ＴＰ、ＴＰ１、ＴＰ２、ＴＰ３  端子部
ＰＶ１、ＰＶ２  太陽電池セル
【図１Ａ】
2013084671.tif 000003
【図１Ｂ】
2013084671.tif 000004
【図２Ａ】
2013084671.tif 000005
【図２Ｂ】
2013084671.tif 000006
【図３Ａ】
2013084671.tif 000007
【図３Ｂ】
2013084671.tif 000008
【図４Ａ】
2013084671.tif 000009
【図４Ｂ】
2013084671.tif 000010
【図５Ａ】
2013084671.tif 000011
【図５Ｂ】
2013084671.tif 000012
【図６Ａ】
2013084671.tif 000013
【図６Ｂ】
2013084671.tif 000014
【図７Ａ】
2013084671.tif 000015
【図７Ｂ】
2013084671.tif 000016
【図８Ａ】
2013084671.tif 000017
【図８Ｂ】
2013084671.tif 000018
【図９Ａ】
2013084671.tif 000019
【図９Ｂ】
2013084671.tif 000020
【図９Ｃ】
2013084671.tif 000021
【図９Ｄ】
2013084671.tif 000022
【図９Ｅ】
2013084671.tif 000023
【図１０Ａ】
2013084671.tif 000024
【図１０Ｂ】
2013084671.tif 000025